(57)【要約】【課題】簡易な回路構成でＣ／Ｎを改善し得る利得可変型高周波増幅装置を提供する。【解決手段】上り回路部２０に設けた上り信号増幅部４０は、入力側利得調整器２２からの入力信号を電子式スイッチ２３により増幅器側と迂回用線路９０側に切替える。上り信号増幅部４０は、第１及び第２の上り増幅器２５ａ、２５ｂ、第１の上り増幅器２５ａを迂回するスライドスイッチ２６、第２の上り増幅器２５ｂの出力と迂回用線路９０とを切替えるスライドスイッチ２７を備えると共に、スライドスイッチ２７に連動して電子式スイッチ２３を迂回用線路９０側と増幅器側とに切替えるスイッチ切替手段を備え、入力信号レベルに応じてスライドスイッチ２６、２７及び電子式スイッチ２３を切替え、入力信号レベルが所定値以上となった場合に増幅器２５ａ、２５ｂの経路を迂回させてＣ／Ｎを改善する。【選択図】図１
2014033311.tif 000002
【特許請求の範囲】
【請求項１】
複数段の増幅器と、前記増幅器の入力信号レベルを調整する利得調整器と、前記複数段の増幅器を迂回する迂回用線路と、前記利得調整器から入力される信号を前記増幅器側あるいは前記迂回用線路側に切替える電子式スイッチと、前記複数段の増幅器のうち任意の段の増幅器の経路を迂回し、次段の増幅器に入力信号を切替え接続する第１のスライドスイッチと、前記複数段の増幅器の出力と前記迂回用線路の信号出力側とに切替えて信号を出力する第２のスライドスイッチと、前記第２のスライドスイッチの切替えに応じて前記電子式スイッチを前記増幅器側と前記迂回用線路側とに切替えるスイッチ切替回路と、前記第１のスライドスイッチ又は第２のスライドスイッチにより前記増幅器を迂回するように切替えた際、該迂回する増幅器の電源を遮断する手段と、前記第２のスライドスイッチに接続され、該第２のスライドスイッチを前記迂回用線路側に切替えた際に前記最終段増幅器の出力端を終端する終端抵抗とを具備し、前記複数の増幅器への入力信号のレベルに応じて前記第１のスライドスイッチ若しくは前記第２のスライドスイッチを切替えて対応する前記増幅器の経路を迂回するように構成したことを特徴とする利得可変型高周波増幅装置。
【請求項２】
任意の増幅器に対して迂回側と非迂回側とに切替える第１のスライドスイッチは、対応する増幅器の入力側と出力側の両方に設けて回路を切替えることを特徴とする請求項１に記載の利得可変型高周波増幅装置。
【請求項３】
請求項１又は２に記載の利得可変型高周波増幅装置において、発光色の異なる複数の表示灯からなる表示部と、前記第１のスライドスイッチ及び前記第２のスライドスイッチの切替状態を示す状態信号を生成する状態信号生成手段と、前記状態信号生成手段により生成された状態信号に基づいて前記表示部に設けられた各表示灯を点灯駆動する表示点灯回路とを具備することを特徴とする利得可変型高周波増幅装置。
【発明の詳細な説明】
【技術分野】
【０００１】
本発明は、例えばＣＡＴＶシステムの伝送線路に設けられる利得可変型高周波増幅装置に関する。
【背景技術】
【０００２】
従来、ＣＡＴＶシステムでは、伝送線路に双方向ＣＡＴＶ用増幅装置として利得可変型高周波増幅装置を設けて下り信号及び上り信号を増幅している（例えば、特許文献１参照。）。
【０００３】
図５は、従来用いられている双方向の利得可変型高周波増幅装置の基本構成を示すブロック図である。図５において、１３１はＣＡＴＶ放送センタ側に設けられる下り入力／上り出力端子で、この下り入力／上り出力端子１３１に入力されるＣＡＴＶ放送センタからの下り信号は、下り回路部１４０により増幅される。
【０００４】
下り回路部１４０は、一般的に７０〜７７０ＭＨｚの周波数帯域を使用する下り信号を選択するハイパスフィルタ（ＨＰＦ）１４１、入力側利得調整器１４２、下り信号を増幅する下り増幅器１４３、出力側利得調整器１４４及び下り信号を通過させるハイパスフィルタ１４５からなり、このハイパスフィルタ１４５の出力信号が下り出力／上り入力端子１３２へ送られる。この下り出力／上り入力端子１３２からは下り信号が出力され、ＣＡＴＶ加入者宅のテレビ受像機等へ送られる。
【０００５】
又、上記下り出力／上り入力端子１３２には、ＣＡＴＶ加入者宅の端末装置からの上り信号が入力される。この上り信号は、一般的に１０〜５５ＭＨｚの周波数帯域が使用される。上記端末装置から下り出力／上り入力端子１３２に入力された上り信号は、上り回路部１５０により増幅される。
【０００６】
上記上り回路部１５０は、上り信号を通過させるローパスフィルタ（ＬＰＦ）１５１、入力側利得調整器１５２、上り信号を増幅する上り増幅器１５３、出力側利得調整器１５４及び上り信号を通過させるローパスフィルタ１５５からなり、このローパスフィルタ１５５の出力信号（上り信号）が下り入力／上り出力端子１３１を介して伝送線路へ出力され、ＣＡＴＶ放送センタへ送られる。
【０００７】
上記のように構成された利得可変型高周波増幅装置は、下り回路部１４０の入力部と出力部に利得調整器１４２、１４４を設けると共に、上り回路部１５０の入力部と出力部に利得調整器１５２、１５４を設け、入力信号のレベル幅に対して柔軟に対応できるようにしている。下り信号側の利得調整器１４２、１４４及び上り信号側の利得調整器１５２、１５４は、下り増幅器１４３、上り増幅器１５３に適正なレベルの信号を入力すると共に、出力信号のレベルを適正な値に保ち、信号の伝送品質を向上させる役割を担っている。
【０００８】
しかし、上記従来の利得可変型高周波増幅装置では、内部の増幅器の利得は変えず、増幅器に入力される信号を利得調整器で減衰させているため、利得調整器を入力側に配置して信号を減衰させた場合、Ｃ／Ｎの劣化を招きやすく、又利得調整器を増幅器間や出力側に設けた場合、歪妨害が発生し易くなってしまい、何れの場合でも伝送信号の品質を劣化させる原因の一つにもなっている。
【０００９】
このような問題を解決するため、上記特許文献１の発明では、例えば上り回路部１５０に２段の増幅器を設け、１段目の増幅器に並列に１つの迂回スイッチを設け、この迂回スイッチを入力信号のレベルに応じて切替え、入力信号のレベルが小さい場合には増幅器を迂回することなく２段の増幅器で増幅し、入力信号のレベルが大きい場合には１段目の増幅器を迂回して２段目の増幅器のみで増幅することにより、Ｃ／Ｎを改善するようにしている。
【００１０】
増幅器のＣ／Ｎ特性は、下式で表される。
Ｃ／Ｎ＝入力レベル−雑音指数−１
例えば入力レベル：８０ｄＢμ、増幅器の雑音指数：６ｄＢの場合、
Ｃ／Ｎ＝８０−６−１
＝７３（ｄＢ）となる。
【００１１】
図６は、上記のように構成された利得可変型高周波増幅装置の上り回路部１５０において、
増幅器利得：３０ｄＢ
（第１の上り増幅器：１５ｄＢ、第２の上り増幅器：１５ｄＢ）
雑音指数：利得最大時６ｄＢ、増幅器迂回時９ｄＢ
定格出力レベル：１１０ｄＢμ
とし、入力レベルを７０〜１０５ｄＢμとしてシミュレーションし、Ｃ／Ｎを求めた結果を示したものである。
【００１２】
上記図６から分かるように、入力レベル８０〜９０ｄＢμ間では、入力レベルを高くしても、増幅装置自体の雑音指数の悪化によりＣ／Ｎは７３ｄＢ一定の値となっている。
【００１３】
そして、入力レベルが第１の上り増幅器を迂回できる９５ｄＢμ以上になるとＣ／Ｎは８５ｄＢとなり、入力レベル８０〜９０ｄＢμ間におけるＣ／Ｎの７３ｄＢと比較すると１２ｄＢの改善となっている。
【００１４】
しかし、入力レベル１００〜１０５ｄＢμでは、利得調整器を調整して信号を減衰させる必要があり、入力レベル９５〜１０５ｄＢμ間のＣ／Ｎは８５ｄＢ一定の値となってしまい、それ以上の改善は困難である。
【００１５】
また、本発明に関連する公知技術として、送信出力を可変制御するとともに電力増幅器により増幅してアンテナから送信する送信出力可変装置において、前記電力増幅器の前後に設けられる高周波切換スイッチ、及び該高周波スイッチにより前記電力増幅器をバイパスさせるバイパス線路を備え、送信出力を予め定めたしきい値よりも低下させる時は、前記高周波スイッチによりバイパス線路を選択して電力増幅器をバイパスさせる技術が知られている（例えば、特許文献２参照。）。
【先行技術文献】
【特許文献】
【００１６】
【特許文献１】特許第４７９５０５９号公報
【特許文献２】特開平９−１４８８５２号公報
【発明の概要】
【発明が解決しようとする課題】
【００１７】
上記従来の利得可変型高周波増幅装置のように増幅部を２段の増幅器により構成し、１段目の増幅器に並列に迂回スイッチを設け、入力信号のレベルが小さい場合には増幅器を迂回することなく２段の増幅器で増幅し、入力信号のレベルが大きい場合には１段目の増幅器を迂回して２段目の増幅器のみで増幅するように構成した場合、入力信号のレベルが高い状態でも１段目の増幅器を迂回させることによりＣ／Ｎを良好に保持できる。しかし、１段目の増幅器を迂回させただけでは対応できない程に入力信号のレベルが高い場合には、利得調整器を調整して信号を減衰させる必要があるので、Ｃ／Ｎが劣化してしまうという問題がある。
【００１８】
また、上記従来のように増幅器に並列に１つの迂回スイッチを設けて切替えるように構成した場合、回路の長さが長くなって回路の引き回しが複雑になり、増幅器の異状発振を引き起こす可能性がある。すなわち、迂回スイッチの回路の引き回しにより、増幅器の出力ラインが入力信号ラインに近付くと出力信号が増幅器の入力に戻るループ回路となって異常発振を生じ、正常な増幅動作ができなくなる。
【００１９】
本発明は上記の課題を解決するためになされたもので、簡易な回路構成でＣ／Ｎを改善し得る利得可変型高周波増幅装置を提供することを目的とする。
【課題を解決するための手段】
【００２０】
第１の発明に係る利得可変型高周波増幅装置は、複数段の増幅器と、前記増幅器の入力信号レベルを調整する利得調整器と、前記複数段の増幅器を迂回する迂回用線路と、前記利得調整器から入力される信号を前記増幅器側あるいは前記迂回用線路側に切替える電子式スイッチと、前記複数段の増幅器のうち任意の段の増幅器の経路を迂回し、次段の増幅器に入力信号を切替え接続する第１のスライドスイッチと、前記複数段の増幅器の出力と前記迂回用線路の信号出力側とに切替えて信号を出力する第２のスライドスイッチと、前記第２のスライドスイッチの切替えに応じて前記電子式スイッチを前記増幅器側と前記迂回用線路側とに切替えるスイッチ切替回路と、前記第１のスライドスイッチ又は第２のスライドスイッチにより前記増幅器を迂回するように切替えた際、該迂回する増幅器の電源を遮断する手段と、前記第２のスライドスイッチに接続され、該第２のスライドスイッチを前記迂回用線路側に切替えた際に前記最終段増幅器の出力端を終端する終端抵抗とを具備し、前記複数の増幅器への入力信号のレベルに応じて前記第１のスライドスイッチ若しくは前記第２のスライドスイッチを切替えて対応する前記増幅器の経路を迂回するように構成したことを特徴とする。
【００２１】
第２の発明は、前記第１の発明に係る利得可変型高周波増幅装置において、任意の増幅器に対して迂回側と非迂回側とに切替える第１のスライドスイッチは、対応する増幅器の入力側と出力側の両方に設け、連動して回路を切替えることを特徴とする。
【００２２】
第３の発明は、前記第１又は第２の発明に係る利得可変型高周波増幅装置において、発光色の異なる複数の表示灯からなる表示部と、前記第１のスライドスイッチ及び前記第２のスライドスイッチの切替状態を示す状態信号を生成する状態信号生成手段と、前記状態信号生成手段により生成された状態信号に基づいて前記表示部に設けられた各表示灯を点灯駆動する表示点灯回路とを具備することを特徴とする。
【発明の効果】
【００２３】
本発明によれば、複数段の増幅器を備えた利得可変型高周波増幅装置において、任意の増幅器に対して入力信号のレベルに応じて迂回側と非迂回側とに切替える第１のスライドスイッチを備えると共に、複数の増幅器に対して入力信号のレベルに応じて迂回側と非迂回側とに切替える第２のスライドスイッチを備えることにより、１段の増幅器を迂回させただけでは対応できない程に入力信号のレベルが高い場合においてもＣ／Ｎを改善することができる。
【００２４】
また、入力信号を増幅器側と複数の増幅器を迂回する迂回用線路側とに切替えるスイッチとして電子式スイッチを用いることにより、スライドスイッチの切替状態を示す信号を用いて電子式スイッチを自動的に切替えることが可能となり、スライドスイッチと電子式スイッチを連動させて回路の設定操作を簡略化することができる。
【００２５】
更に、増幅器の入力側と出力側の両方にスライドスイッチを設けて回路を切替えることにより、回路の長さが短くなって引き回しが簡単になり、出力信号ラインが入力信号ラインに近付く可能性を無くし、入出力間の結合による増幅器の異状発振を確実に防止することができる。
【００２６】
また、第１のスライドスイッチ及び第２のスライドスイッチの切替状態を示す状態信号を生成して表示部に設けられた発光色の異なる表示灯を点灯駆動することにより、入力信号レベルに応じて迂回路を選択する際に、表示部の表示状態から現在の増幅装置の設定状況を容易に且つ間違いなく把握することが可能となり、迂回路の選択作業時間を大幅に短縮することができる。
【図面の簡単な説明】
【００２７】
【図１】本発明の一実施形態に係る利得可変型高周波増幅装置の全体の概略構成を示すブロック図である。
【図２】同実施形態における上り信号増幅部の詳細な回路構成例を示す図である。
【図３】同実施形態における利得可変型高周波増幅装置のＣ／Ｎをシミュレーションにより求めた結果を示す図である。
【図４】同実施形態における上り信号増幅部の回路動作と状態表示用のＬＥＤ点灯との関係を示す図である。
【図５】従来の利得可変型高周波増幅装置の構成を示すブロック図である。
【図６】従来の利得可変型高周波増幅装置におけるＣ／Ｎをシミュレーションにより求めた結果を示す図である。
【発明を実施するための形態】
【００２８】
以下、図面を参照して本発明の一実施形態を説明する。  
図１は、本発明の一実施形態に係る利得可変型高周波増幅装置の構成を示すブロック図である。図１において、１１はＣＡＴＶ放送センタ側に設けられる下り入力／上り出力端子で、この下り入力／上り出力端子１１に入力されるＣＡＴＶ放送センタから送られてくる下り信号は、下り回路部１０に入力されて増幅される。
【００２９】
上記下り回路部１０は、一般的に７０〜７７０ＭＨｚの周波数帯域を使用する下り信号を選択するハイパスフィルタ（ＨＰＦ）１３、入力側利得調整器１４、下り信号を増幅する複数段例えば２段の下り増幅器１５、１６、出力側利得調整器１７及び下り信号を通過させるハイパスフィルタ１８からなり、このハイパスフィルタ１８の出力信号が下り出力／上り入力端子１２へ送られる。上記入力側利得調整器１４及び出力側利得調整器１７には、例えば可変抵抗減衰器が使用される。
【００３０】
上記下り出力／上り入力端子１２から出力される下り信号は、ＣＡＴＶ加入者宅のテレビ受像機等へ送られる。
又、上記下り出力／上り入力端子１２には、ＣＡＴＶ加入者宅の端末装置からの上り信号が入力される。この上り信号は、一般的に１０〜５５ＭＨｚの周波数帯域が使用される。上記端末装置から下り出力／上り入力端子１２に入力された上り信号は、上り回路部２０に入力されて増幅される。
【００３１】
上記上り回路部２０は、上り信号を通過させるローパスフィルタ２１、入力側利得調整器２２、上り信号増幅部４０、出力側利得調整器２９、上り信号を通過させるローパスフィルタ３０からなり、このローパスフィルタ３０の出力信号（上り信号）が下り入力／上り出力端子１１を介して伝送線路へ出力され、ＣＡＴＶ放送センタへ送られる。上記入力側利得調整器２２及び出力側利得調整器２９には、例えば可変抵抗減衰器が使用される。
【００３２】
上記上り信号増幅部４０は、電子式スイッチ２３、迂回用線路９０、第１の上り増幅器２５ａ、第２の上り増幅器２５ｂ、２回路２接点の第１のスライドスイッチ２６、２回路３接点の第２のスライドスイッチ２７、及び終端抵抗２８ａ〜２８ｃにより構成される。また、上り信号増幅部４０には、詳細を後述するように上記電子式スイッチ２３及びスライドスイッチ２６、２７の切替状態を表示するＬＥＤ点灯回路が設けられる。
【００３３】
上記電子式スイッチ２３は、例えば２段の上り増幅器２５ａ、２５ｂからなる増幅器側と、２段の上り増幅器２５ａ、２５ｂを迂回する迂回用線路９０側を選択して切替えるスイッチで、共通端子ｆに入力側利得調整器２２で調整された信号が入力され、一方の端子ｇから出力される信号は迂回用線路９０を介して第２のスライドスイッチ２７へ送られる。上記迂回用線路９０には、１０ＭＨｚ〜６０ＭＨｚの上り帯域における１０ＭＨｚより下の不要な帯域外周波数をカットするためのハイパスフィルタ２４が設けられる。また、電子式スイッチ２３の他方の端子ｈから出力される信号は、第１のスライドスイッチ２６へ送られる。
【００３４】
第１のスライドスイッチ２６は、第１のスイッチ部２６ａ及び第２のスイッチ部２６ｂからなる２回路２接点のスイッチで、ノブをスライドさせることにより第１のスイッチ部２６ａと第２のスイッチ部２６ｂとが連動して切替えられる。上記第１のスイッチ部２６ａの共通端子ａに電子式スイッチ２３の端子ｈから出力される信号が入力され、端子ａ１から出力される信号が第１の上り増幅器２５ａを介して第２のスイッチ部２６ｂの端子ｂ１に入力される。また、第１のスイッチ部２６ａの端子ａ２と第２のスイッチ部２６ｂの端子ｂ２との間は、高周波ライン９１により直接接続される。そして、第２のスイッチ部２６ｂの共通端子ｂから取出される信号は、第２の上り増幅器２５ｂを介して第２のスライドスイッチ２７に入力される。
【００３５】
第２のスライドスイッチ２７は、第１のスイッチ部２７ａ及び第２のスイッチ部２７ｂからなる２回路３接点のスイッチで、ノブをスライドさせることにより第１のスイッチ部２７ａと第２のスイッチ部２７ｂとが連動して切替えられる。上記第１のスイッチ部２７ａは、共通端子ｄに第２の上り増幅器２５ｂで増幅された信号が入力され、端子ｄ１、ｄ３はそれぞれ例えば７５Ωの終端抵抗２８ａ、２８ｂを介して接地される。第１のスイッチ部２７ａの共通接点ｄ２と第２のスイッチ部２７ｂの共通接点ｅ２との間は、高周波ライン９２により直接接続される。第２のスイッチ部２７ｂは、端子ｅ１に迂回用線路９０に設けられたハイパスフィルタ２４の出力信号が入力され、端子ｅ３が例えば７５Ωの終端抵抗２８ｃを介して接地される。そして、第２のスイッチ部２７ｂの共通端子ｅから取出される信号が出力側利得調整器２９に入力される。
【００３６】
また、上記上り信号増幅部４０には、電源部５０から例えばＤＣ（直流）１５Ｖの動作電圧（バイアス電圧）が供給される。電源部５０は、例えばＡＣコンセントに接続するプラグ５１、電源コード５２、ＡＣ１００ＶをＤＣ１５Ｖに変換して出力する電源回路５３により構成される。この電源回路５３は、ＤＣ１５Ｖを出力する電源ライン５４を備えている。
【００３７】
上記上り信号増幅部４０は、詳細を後述するように第２のスライドスイッチ２７の切替えに連動して電子式スイッチ２３が切替わるように構成されており、スイッチ部２７ａ、２７ｂの共通端子ｄ、ｅを端子ｄ２、ｅ２に切替えた場合に電子式スイッチ２３の共通端子ｆが端子ｈ側に切替わり、スイッチ部２７ａ、２７ｂの共通端子ｄ、ｅを端子ｄ１、ｅ１に切替えた場合に電子式スイッチ２３の共通端子ｆが端子ｇ側に切替わるように構成されている。
【００３８】
電子式スイッチ２３の共通端子ｆが端子ｈ側に切替えられた状態において、第１のスライドスイッチ２６のスイッチ部２６ａ、２６ｂの共通端子ａ、ｂを端子ａ１、ｂ１側に切替えると、入力側利得調整器２２で利得調整された信号が第１の上り増幅器２５ａに入力されて増幅され、更に第２の上り増幅器２５ｂで増幅されて出力側利得調整器２９へ送られる。また、上記電子式スイッチ２３の共通端子ｆが端子ｈ側に切替えられた状態において、第１のスライドスイッチ２６のスイッチ部２６ａ、２６ｂの共通端子ａ、ｂを端子ａ２、ｂ２側に切替えると、入力側利得調整器２２で利得調整された信号は高周波ライン９１を通って第１の上り増幅器２５ａを迂回し、第２の上り増幅器２５ｂへ送られて増幅される。
【００３９】
また、上記したように第２のスライドスイッチ２７におけるスイッチ部２７ａ、２７ｂの共通端子ｄ、ｅを端子ｄ１、ｅ１に切替えた場合には、電子式スイッチ２３の共通端子ｆが端子ｇ側に切替わるので、入力側利得調整器２２で利得調整された信号は迂回用線路９０に設けられたハイパスフィルタ２４を通って２段の上り増幅器２５ａ、２５ｂを迂回し、出力側利得調整器２９へ送られる。
【００４０】
以下、上記上り信号増幅部４０の詳細について、図２を参照して説明する。図２は上り信号増幅部４０の詳細を示す回路構成図である。
電子式スイッチ２３の共通端子ｆには、入力側利得調整器２２（図１参照）で利得調整された信号が入力される。上記電子式スイッチ２３には、動作電源Ｖｄｄが供給されると共にコントロール端子に詳細を後述する制御電圧（Ａ）が抵抗６１を介して印加される。また、電子式スイッチ２３は、チャタリングを防止するため、コントロール端子と接地間に抵抗６２を接続してプルダウンさせている。電子式スイッチ２３は、制御電圧（Ａ）が“Ｈｉｇｈ”レベルの場合に端子ｆ−ｇ間が導通し、制御電圧（Ａ）が“Ｌｏｗ”レベルの場合に端子ｆ−ｈ間が導通する。
【００４１】
電子式スイッチ２３の端子ｇ側から取出される信号は、コンデンサ６３を介して迂回用線路９０のハイパスフィルタ２４へ送られる。また、電子式スイッチ２３の端子ｈ側から取出される信号は、コンデンサ６４を介して第１のスライドスイッチ２６の第１のスイッチ部２６ａの共通端子ａに入力される。第１のスライドスイッチ２６は、２回路２接点のスイッチであり、ノブをスライドさせることで内部の電極ｃ１、ｃ２が連動してスライドし、電極ｃ１により第１のスイッチ部２６ａの端子ａ−ａ１間、あるいは端子ａ−ａ２間を導通させ、電極ｃ２により第２のスイッチ部２６ｂの端子ｂ−ｂ１間、あるいは端子ｂ−ｂ２間を導通させる。第１のスイッチ部２６ａの端子ａ１側から出力される信号は、第１の上り増幅器２５ａで増幅されて第２のスイッチ部２６ｂの端子ｂ１に入力される。また、第１のスイッチ部２６ａの端子ａ２と第２のスイッチ部２６ｂの端子ｂ２との間は、迂回路を構成する高周波ライン９１により接続される。
【００４２】
そして、上記第２のスイッチ部２６ｂの共通端子ｂから出力される信号は、第２の上り増幅器２５ｂに入力されて増幅され、更にコンデンサ６５を介して第２のスライドスイッチ２７の第１のスイッチ部２７ａの共通端子ｄに入力される。
【００４３】
上記第２のスライドスイッチ２７は、２回路３接点のスイッチであり、ノブをスライドさせることで内部の電極ｃ３、ｃ４が連動してスライドし、電極ｃ３により第１のスイッチ部２７ａの端子ｄ−ｄ１間、端子ｄ−ｄ２間、端子ｄ−ｄ３間を選択的に導通させ、電極ｃ４により第２のスイッチ部２７ｂの端子ｅ−ｅ１間、端子ｅ−ｅ２間、端子ｅ−ｅ３間を選択的に導通させる。また、第１のスイッチ部２７ａの端子ｄ２と第２のスイッチ部２７ｂの端子ｅ２との間は、迂回路を構成する高周波ライン９２により接続される。また、第１のスイッチ部２７ａの端子ｄ１、ｄ３、第２のスイッチ部２７ｂの端子ｅ３は、それぞれ終端抵抗２８ａ、２８ｂ、２８ｃを介して接地される。
【００４４】
そして、上記第２のスイッチ部２７ｂの共通端子ｅから出力される信号は、コンデンサ６６を介して出力側利得調整器２９（図１参照）へ送られる。また、第２のスイッチ部２７ｂの共通端子ｅには、図１に示した電源回路５３から電源ライン５４により供給されるＤＣ１５Ｖの電圧が抵抗６７及びインダクタンス６８を介して与えられる。この第２のスイッチ部２７ｂの共通端子ｅに与えられた直流電圧は、第２のスライドスイッチ２７のノブを上方にスライドし、電極ｃ４により第２のスイッチ部２７ｂの端子ｅ−ｅ１間が導通したときに端子ｅ１から出力され、インダクタンス６９を介して制御電圧（Ａ）として取出される。この制御電圧（Ａ）は、上記したように電子式スイッチ２３のコントロール端子に抵抗６１を介して印加される。
【００４５】
また、第２のスイッチ部２７ｂの共通端子ｅに与えられた直流電圧は、第２のスライドスイッチ２７のノブを下方にスライドし、電極ｃ４により第２のスイッチ部２７ｂの端子ｅ−ｅ３間が導通したときに端子ｅ３から出力され、インダクタンス７１を介して制御電圧（Ｂ）として取出される。
【００４６】
また、上記電源回路５３から電源ライン５４により供給されるＤＣ１５Ｖの電圧は、ＤＣ１２Ｖ出力のレギュレータ７２に与えられる。このレギュレータ７２は、コントロール端子７３に与えられる制御電圧により出力動作が切替えられるもので、制御電圧が“Ｈｉｇｈ”レベルのときにＤＣ１２Ｖを出力し、制御電圧が“Ｌｏｗ”レベルのときに出力をオフする。レギュレータ７２のコントロール端子７３には、第２のスライドスイッチ２７からインダクタンス６９を介して出力される制御電圧（Ａ）がダイオード７４及びインバータ７５を介して与えられる。また、上記インバータ７５には、第２のスライドスイッチ２７の端子ｅ３からインダクタンス７１を介して出力される制御電圧（Ｂ）がダイオード７６を介して入力される。上記インバータ７５の入力端子及び出力端子は、それぞれ抵抗７７、７８を介して接地される。
【００４７】
そして、上記レギュレータ７２の出力電圧は、インダクタンス７９を介して制御電圧（Ｃ）として取出される。また、レギュレータ７２の出力電圧は、第２の上り増幅器２５ｂの電源端子にバイアス電圧として供給されると共に、更にインダクタンス８１を介して第１のスライドスイッチ２６の第２のスイッチ部２６ｂの共通端子ｂに供給される。この共通端子ｂに供給された電圧は、第１のスライドスイッチ２６のノブを上方にスライドし、電極ｃ２により端子ｂ−ｂ１間が導通したときに端子ｂ１から出力され、インダクタンス８２を介して第１の上り増幅器２５ａの電源端子にバイアス電圧として供給されると共に制御電圧（Ｄ）として取出される。
【００４８】
また、上記インダクタンス６９を介して出力される制御電圧（Ａ）、インダクタンス７９を介して出力される制御電圧（Ｃ）、インダクタンス８２を介して出力される制御電圧（Ｄ）は、上記したように各回路部に供給される他、ＬＥＤ点灯回路１００へ供給される。
【００４９】
ＬＥＤ点灯回路１００は、２色ＬＥＤ１０１及びＬＥＤ駆動用のトランジスタ１２０〜１２３を備えている。２色ＬＥＤ１０１は、赤色発光する赤色ＬＥＤ１０２と緑色発光する緑色ＬＥＤ１０３を内蔵しており、各ＬＥＤ１０２、１０３のカソードが共通で３つの端子で構成されている。上記ＬＥＤ１０２、１０３の共通に接続されたカソードは接地される。２色ＬＥＤ１０１は、赤色ＬＥＤ１０２が単独駆動された場合は赤色に発光し、緑色ＬＥＤ１０３が単独駆動された場合は緑色に発光するが、両ＬＥＤ１０２、１０３が同時に駆動されると黄色の発光状態となる。
【００５０】
上記トランジスタ１２０としては例えばＮＰＮ形のものが使用され、制御電圧（Ｃ）が抵抗１１１を介してコレクタに入力され、コレクタ・ベース間にバイアス用抵抗１１２が接続される。また、トランジスタ１２０のベースは例えばＮＰＮ形のトランジスタ１２１のコレクタに接続される。このトランジスタ１２１のベースは、制御電圧（Ｄ）が抵抗１１３を介して入力されると共に抵抗１１４を介して接地される。また、トランジスタ１２１は、エミッタが直接接地される。そして、トランジスタ１２０のエミッタから出力される信号がダイオード１２４を順方向に介して赤色ＬＥＤ１０２のアノードに供給される。
【００５１】
また、トランジスタ１２２としては例えばＰＮＰ形のものが使用され、電源回路５３（図１参照）の電源ライン５４から出力される１５Ｖの電圧が抵抗１１５を介してエミッタに入力され、ベースは抵抗１１６を介して例えばＮＰＮ形のトランジスタ１２３のコレクタに接続される。このトランジスタ１２３のベースは、制御電圧（Ａ）が抵抗１１７を介して入力されると共に抵抗１１８を介して接地される。また、トランジスタ１２３のエミッタは直接接地される。そして、上記トランジスタ１２２のコレクタから出力される信号がダイオード１２４を順方向に介して赤色ＬＥＤ１０２のアノードに供給される。この赤色ＬＥＤ１０２は、トランジスタ１２０、１２２の少なくとも一方がオン動作することによって発光駆動される。
【００５２】
また、緑色ＬＥＤ１０３のアノードには、制御電圧（Ｃ）が抵抗１１９を介して回入力される。緑色ＬＥＤ１０３は、制御電圧（Ｃ）が“Ｈｉｇｈ”レベルとなったときに発光駆動される。
【００５３】
次に上記のように構成された上り信号増幅部４０の動作について、図１及び図２を参照して説明する。
入力側利得調整器２２から上り信号増幅部４０に入力される信号は、電子式スイッチ２３により増幅側と２段の増幅部迂回側とに切替えられる。この場合、電子式スイッチ２３は、以下に示すように第２のスライドスイッチ２７の操作に連動して切替えられる。
【００５４】
［電子式スイッチ２３と第２のスライドスイッチ２７の連動動作］
第２のスライドスイッチ２７は、ノブを上・中・下の３つの位置にスライドさせることにより、次の（１）、（２）、（３）の動作モードを選択する。
（１）第２のスライドスイッチ２７を「中」の位置にスライドさせた場合、制御電圧（Ａ）が“Ｌｏｗ”レベルとなり、電子式スイッチ２３の端子ｆ−ｈ間を導通させて入力側利得調整器２２からの信号を増幅側に切替える。
（２）第２のスライドスイッチ２７を「上」の位置にスライドさせた場合、制御電圧（Ａ）が“Ｈｉｇｈ”レベルとなり、電子式スイッチ２３の端子ｆ−ｇ間を導通させ、２段の上り増幅器２５ａ、２５ｂを迂回する迂回用線路９０側に切替える。
（３）第２のスライドスイッチ２７を「下」の位置にスライドさせた場合、制御電圧（Ｂ）が“Ｈｉｇｈ”レベルとなって上り信号増幅部４０の動作を停止させ、信号出力は行わない。
【００５５】
先ず、第２のスライドスイッチ２７のノブを「中」の位置にスライドさせると、内部の電極ｃ３、ｃ４が連動してスライドし、スイッチ部２７ａ、２７ｂの共通端子ｄ、ｅが端子ｄ２、ｅ２に切替わる。このとき電源ライン５４を介して第２のスライドスイッチ２７に供給されている直流電圧は、インダクタンス６９には与えられず、制御電圧（Ａ）は“Ｌｏｗ”レベルとなる。
【００５６】
また、第２のスライドスイッチ２７のノブを「中」の位置にスライドさせた状態では、第２のスライドスイッチ２７の端子ｅ３から出力される信号は“Ｌｏｗ”レベルであり、インダクタンス７１を介して出力される制御電圧（Ｂ）も“Ｌｏｗ”レベルとなっている。第２のスライドスイッチ２７のノブを「中」の位置にスライドさせて、制御電圧（Ａ）、（Ｂ）が“Ｌｏｗ”レベルとなっている場合、ダイオード７４、７６を介してインバータ７５に入力される信号は“Ｌｏｗ”レベルに保持される。このためインバータ７５の出力が“Ｈｉｇｈレベル”となってレギュレータ７２のコントロール端子に供給されるので、レギュレータ７２からはＤＣ１２Ｖの電圧が出力される。このレギュレータ７２の出力電圧は、第２の上り増幅器２５ｂの電源端子に供給されると共に、第１のスライドスイッチ２６の共通端子ｂに供給される。
【００５７】
上記のように第２のスライドスイッチ２７のノブを「中」の位置にスライドさせ、インダクタンス６９を介して出力される制御電圧（Ａ）が“Ｌｏｗ”レベルになると、電子式スイッチ２３の共通端子ｆが端子ｈ側、すなわち増幅側に切替わる。従って、入力側利得調整器２２からの信号はコンデンサ６４を介して第１のスライドスイッチ２６に入力される。このとき第１のスライドスイッチ２６のノブを上側あるいは下側にスライドすることで、１段目増幅側と１段目迂回側とを選択して切替えることができる。
【００５８】
第１のスライドスイッチ２６のノブを上側にスライドすると、内部の電極ｃ１、ｃ２が連動してスライドし、スイッチ部２６ａ、２６ｂの共通端子ａ、ｂが端子ａ１、ｂ１側に切替わり、第１の上り増幅器２５ａの電源端子にバイアス電圧が供給されると共に、入力側利得調整器２２からの入力信号が第１の上り増幅器２５ａに入力される。この結果、入力信号は、第１の上り増幅器２５ａで増幅された後、第２の上り増幅器２５ｂへ伝送される。
【００５９】
また、第１のスライドスイッチ２６のノブを下側にスライドすると、内部の電極ｃ１、ｃ２が連動して下方に移動し、スイッチ部２６ａ、２６ｂの共通端子ａ、ｂが端子ａ２、ｂ２側に切替わり、入力信号は高周波ライン９１側を通り、第１の上り増幅器２５ａを迂回し第２の上り増幅器２５ｂへ伝送される。このとき第２のスイッチ部２６ｂの端子ｂ−ｂ１間が遮断され、第１の上り増幅器２５ａにはバイアス電圧が供給されないので、第１の上り増幅器２５ａは増幅動作を停止する。
【００６０】
上記第２の上り増幅器２５ｂで増幅された信号は、コンデンサ６５を介して第２のスライドスイッチ２７の第１のスイッチ部２７ａに入力され、端子ｄ−ｄ２、高周波ライン９２、第２のスイッチ部２７ｂの端子ｅ２−ｅを通り、コンデンサ６６を介して出力側利得調整器２９へ送られる。
【００６１】
そして、第２のスライドスイッチ２７のノブを「上」の位置にスライドさせた場合、内部の電極ｃ３、ｃ４が連動して上方にスライドし、スイッチ部２７ａ、２７ｂの共通端子ｄ、ｅが端子ｄ１、ｅ１に切替わる。このとき電源ライン５４を介して第２のスライドスイッチ２７に供給されている直流電圧が第２のスイッチ部２７ｂの端子ｅ−ｅ１を通ってインダクタンス６９に供給されるので、制御電圧（Ａ）は“Ｈｉｇｈ”レベルとなり、電子式スイッチ２３の端子ｆ−ｇ間が導通し、２段増幅部迂回側に切替えられる。この結果、入力側利得調整器２２からの信号は、コンデンサ６３、迂回用線路９０のハイパスフィルタ２４を介して第２のスライドスイッチ２７に入力され、第２のスイッチ部２７ｂの端子ｅ１−ｅ間を通り、コンデンサ６６を介して出力側利得調整器２９へ送られる。このとき第２の上り増幅器２５ｂの出力側は、第１のスイッチ部２７ａの端子ｄ１に接続されている終端抵抗２８ａにより終端される。
【００６２】
また、上記インダクタンス６９から出力される制御電圧（Ａ）が“Ｈｉｇｈ”レベルになると、ダイオード７４を介してインバータ７５に入力される信号が“Ｈｉｇｈ”レベルとなり、このインバータ７５からレギュレータ７２のコントロール端子７３に供給される電圧が“Ｌｏｗ”レベルとなってレギュレータ７２は出力動作を停止する。レギュレータ７２の出力電圧が“Ｌｏｗ”レベルになると、上り増幅器２５ａ、２５ｂの電源端子に供給されるバイアス電圧が“Ｌｏｗ”レベルとなり、上り増幅器２５ａ、２５ｂは増幅動作を停止する。
【００６３】
そして、第２のスライドスイッチ２７のノブを「下」の位置にスライドさせた場合、内部の電極ｃ３、ｃ４が連動して下方にスライドし、スイッチ部２７ａ、２７ｂの共通端子ｄ、ｅが端子ｄ３、ｅ３に切替え接続される。第２のスイッチ部２７ｂの端子ｅ−ｅ３間が導通すると、第２のスライドスイッチ２７の信号出力端となる第２のスイッチ部２７ｂの共通端子ｅが、端子ｅ３に接続されている終端抵抗２８ｃのより終端される。また、第２のスイッチ部２７ｂの端子ｅ−ｅ３間が導通すると、インダクタンス７１を介して出力される制御電圧（Ｂ）が“Ｈｉｇｈ”レベルになり、ダイオード７４を介してインバータ７５に入力される信号が“Ｈｉｇｈ”レベルとなる。このためインバータ７５からレギュレータ７２のコントロール端子７３に供給される電圧が“Ｌｏｗ”レベルとなってレギュレータ７２は出力動作を停止する。レギュレータ７２の出力電圧が“Ｌｏｗ”レベルになると、上り増幅器２５ａ、２５ｂの電源端子に供給されるバイアス電圧が“Ｌｏｗ”レベルとなり、上り増幅器２５ａ、２５ｂは増幅動作を停止する。また、このとき第２の上り増幅器２５ｂの出力側は、第２のスライドスイッチ２７の端子ｄ３に接続されている終端抵抗２８ｂにより終端される。
【００６４】
上記のように第２のスライドスイッチ２７のノブを「下」の位置にスライドすると、上り増幅器２５ａ、２５ｂはバイアス電圧が“Ｌｏｗ”レベルとなって増幅動作を停止すると共に、第２の上り増幅器２５ｂが第２のスライドスイッチ２７により信号出力ラインから切り離される。また、迂回用線路９０も信号出力ラインから遮断される。更にスイッチ部２７ａ、２７ｂの共通端子ｄ、ｅがそれぞれ終端抵抗２８ｂ、２８ｃにより終端され、上り信号増幅部４０は信号出力動作を停止した状態となる。
【００６５】
図３は、上記のように構成された利得可変型高周波増幅装置において、上り回路部２０に対し、従来の利得可変型高周波増幅装置と同じ条件、すなわち、
増幅器利得：３０ｄＢ
（第１の上り増幅器２５ａ：１５ｄＢ、第２の上り増幅器５３ｂ：１５ｄＢ）
雑音指数：利得最大時６ｄＢ、増幅器迂回時９ｄＢ
定格出力レベル：１１０ｄＢμ
とし、入力レベルを７０〜１１０ｄＢμとしてシミュレーションし、Ｃ／Ｎを求めた結果を示したものである。
【００６６】
上記図３から分かるように、入力レベル８０〜９０ｄＢμ間では、従来の利得可変型高周波増幅装置と同様に入力レベルを高くしても、Ｃ／Ｎは７３ｄＢ一定の値となっている。
【００６７】
そして、信号入力レベルが９０ｄＢμを超えて例えば９５ｄＢμとなった場合に第１のスライドスイッチ２６を迂回側として上り信号が第１の上り増幅器２５ａを迂回するようにする。信号入力レベルが第１の上り増幅器２５ａを迂回する９５〜１００ｄＢμでは、Ｃ／Ｎは８５ｄＢとなり、入力レベル８０〜９０ｄＢμ間の７３ｄＢと比較して１２ｄＢ改善されている。
【００６８】
更に、信号入力レベルが１０５ｄＢμ以上となった場合には、第２のスライドスイッチ２７を「上」の位置に切替えて上り信号を迂回用線路９０側を通過させ、第１の上り増幅器２５ａ及び第２の上り増幅器２５ｂを迂回させる。このとき信号入力レベルが１０５ｄＢμではＣ／Ｎが９９ｄＢ、信号入力レベルが１１０ｄＢμではＣ／Ｎが１０４ｄＢとなる。
【００６９】
上記のように信号入力レベルが所定値例えば９５ｄＢμを超えたときに第１のスライドスイッチ２６を迂回側として第１の上り増幅器２５ａを迂回させ、更に信号入力レベルが例えば１０５ｄＢμを超えたときに第２のスライドスイッチ２７を「上」の位置に切替えて２段の上り増幅器２５ａ、２５ｂを迂回させることにより、１段の増幅器を迂回させただけでは対応できない程に入力信号のレベルが高い場合においてもＣ／Ｎを改善することができる。
【００７０】
また、種々のレベルの信号が入力された場合において、第１のスライドスイッチ２６及び第２のスライドスイッチ２７にて増幅器２５ａ、２５ｂを迂回する迂回路を選択すると共に対応する増幅器への電源を遮断することにより、Ｃ／Ｎの劣化量を極力減らし、且つ無駄な消費電力を抑えて最適な信号伝送増幅装置とすることができる。
【００７１】
また、増幅器２５ａ、２５ｂの経路の切替えにスライドスイッチを用いることにより、伝送信号の劣化を防止でき、高品質の信号伝送路を構成することが可能となる。
更に、増幅器の入力側と出力側の両方にスライドスイッチを設けて回路を切替えることにより、回路の長さが短くなって引き回しが簡単になり、出力信号ラインが入力信号ラインに近付く可能性を無くし、入出力間の結合による増幅器の異状発振を確実に防止することができる。
【００７２】
また、入力信号を増幅器側と迂回用線路９０側に切替えるスイッチとして電子式スイッチ２３を用いることにより、第２のスライドスイッチ２７の切替状態を示す信号を用いて電子式スイッチ２３を自動的に切替えることが可能となる。この結果、スライドスイッチ２７と電子式スイッチ２３を連動させることが可能となり、回路の設定操作を簡略化することができる。
【００７３】
［ＬＥＤ点灯回路１００の制御動作］
次に、２色ＬＥＤ１０１の点灯を制御するＬＥＤ点灯回路１００の動作について、図４を参照して説明する。２色ＬＥＤ１０１は、上記したように赤色ＬＥＤ１０２と緑色ＬＥＤ１０３を内蔵しており、赤色ＬＥＤ１０２が単独駆動された場合は赤色に点灯し、緑色ＬＥＤ１０３が単独駆動された場合は緑色に点灯する。また、赤色ＬＥＤ１０２と緑色ＬＥＤ１０３が同時に駆動されると黄色の点灯状態となる。
【００７４】
図４は、上り回路部２０の上り信号増幅部４０における第１の上り増幅器２５ａ及び第２の上り増幅器２５ｂの運用状態と２色ＬＥＤ１０１の点灯状態との関係を示している。
【００７５】
項番１は第１の上り増幅器２５ａと第２の上り増幅器２５ｂを共に運用動作させている場合で、２色ＬＥＤ１０１は緑色ＬＥＤ１０３が単独駆動されて緑色点灯する。
項番２は第１の上り増幅器２５ａを迂回し、第２の上り増幅器２５ｂを運用動作させている場合で、２色ＬＥＤ１０１は赤色ＬＥＤ１０２及び緑色ＬＥＤ１０３が共に駆動されて黄色点灯する。
【００７６】
項番３は第１の上り増幅器２５ａ及び第２の上り増幅器２５ｂの両方を迂回運用させている場合で、２色ＬＥＤ１０１は赤色ＬＥＤ１０２が単独駆動されて赤色点灯する。
【００７７】
項番４は上り回路部２０から上り信号増幅部４０をカットして伝送線路を終端させた場合で、２色ＬＥＤ１０１は消灯する。
上記図４に従って動作を説明すると、項番１の第１の上り増幅器２５ａ及び第２の上り増幅器２５ｂを共に動作させる運用時は、第２のスライドスイッチ２７のノブが「中」の位置、第１のスライドスイッチ２６のノブが「上」の位置のときで、
制御電圧（Ａ）は“Ｌｏｗ”レベル、
制御電圧（Ｃ）は“Ｈｉｇｈ”レベル、
制御電圧（Ｄ）は“Ｈｉｇｈ”レベル、
となっている。
【００７８】
制御電圧（Ａ）が“Ｌｏｗ”レベルになるとトランジスタ１２３、１２２がオフし、トランジスタ１２２のコレクタ出力が“Ｌｏｗ”レベルとなる。また、制御電圧（Ｄ）が“Ｈｉｇｈ”レベルの場合、トランジスタ１２１がオンとなってトランジスタ１２０がオフし、トランジスタ１２０のエミッタ出力が“Ｌｏｗ”レベルとなる。この結果、ダイオード１２４、１２５のカソード側が“Ｌｏｗ”レベルとなり、赤色ＬＥＤ１０２は駆動されない。一方、制御電圧（Ｃ）が“Ｈｉｇｈ”レベルであるので、緑色ＬＥＤ１０３が駆動され、２色ＬＥＤ１０１は緑色点灯となる。
【００７９】
また、項番２の第１の上り増幅器２５ａを迂回し、第２の上り増幅器２５ｂを動作させる運用時は、第２のスライドスイッチ２７のノブが「中」の位置、第１のスライドスイッチ２６のノブが「下」の位置のときで、
制御電圧（Ａ）は“Ｌｏｗ”レベル、
制御電圧（Ｃ）は“Ｈｉｇｈ”レベル、
制御電圧（Ｄ）は“Ｌｏｗ”レベル、
となっている。
【００８０】
制御電圧（Ａ）が“Ｌｏｗ”レベルの場合、上記したようにトランジスタ１２２がオフし、そのコレクタ出力が“Ｌｏｗ”レベルになる。また、制御電圧（Ｄ）が“Ｌｏｗ”レベルの場合、トランジスタ１２１がオフ、トランジスタ１２０がオンとなって制御電圧（Ｃ）の“Ｈｉｇｈ”レベルがダイオード１２４を介して出力される。この結果、ダイオード１２４、１２５のカソード側が“Ｈｉｇｈ”レベルとなり、赤色ＬＥＤ１０２が駆動される。また、制御電圧（Ｃ）が“Ｈｉｇｈ”レベルであるので、緑色ＬＥＤ１０３が駆動される。赤色ＬＥＤ１０２及び緑色ＬＥＤ１０３が駆動されることにより、２色ＬＥＤ１０１は黄色点灯となる。
【００８１】
また、項番３の第１の上り増幅器２５ａ及び第２の上り増幅器２５ｂの両方を迂回運用させている場合、第２のスライドスイッチ２７のノブが「上」の位置で、第１のスライドスイッチ２６のノブが「上」・「下」どちらの位置のときでも、
制御電圧（Ａ）は“Ｈｉｇｈ”レベル、
制御電圧（Ｃ）は“Ｌｏｗ”レベル、
制御電圧（Ｄ）は“Ｌｏｗ”レベル、
となっている。
【００８２】
制御電圧（Ａ）が“Ｈｉｇｈ”レベルの場合、トランジスタ１２３、１２２が共にオンし、トランジスタ１２２のコレクタ出力が“Ｈｉｇｈ”レベルとなってダイオード１２５から出力される。このためトランジスタ１２０の動作状態に関係なく、ダイオード１２４、１２５のカソード側が“Ｈｉｇｈ”レベルとなり、赤色ＬＥＤ１０２が駆動される。また、制御電圧（Ｃ）が“Ｌｏｗ”レベルであるので、緑色ＬＥＤ１０３が駆動されない。従って、２色ＬＥＤ１０１は、赤色ＬＥＤ１０２のみが駆動されて赤色点灯となる。
【００８３】
また、項番４の上り回路部２０から上り信号増幅部４０をカットして伝送線路を終端させた伝送線路終端運用時は、第２のスライドスイッチ２７のノブが「下」の位置で、第１のスライドスイッチ２６のノブが「上」・「下」どちらの位置のときでも、
制御電圧（Ａ）は“Ｌｏｗ”レベル、
制御電圧（Ｃ）は“Ｌｏｗ”レベル、
制御電圧（Ｄ）は“Ｌｏｗ”レベル、
となっている。
【００８４】
制御電圧（Ａ）、（Ｂ）、（Ｃ）が“Ｌｏｗ”レベルの場合、トランジスタ１２０、１２２が共にオフとなり、ダイオード１２４、１２５のカソード側が“Ｌｏｗ”レベルとなって赤色ＬＥＤ１０２は駆動されない。また、制御電圧（Ｃ）が“Ｌｏｗ”レベルであるので、緑色ＬＥＤ１０３も駆動されない。従って、２色ＬＥＤ１０１は、消灯状態となる。
【００８５】
上記のように第１のスライドスイッチ２６及び第２のスライドスイッチ２７によって設定される上り回路部２０の運用状態を２色ＬＥＤ１０１の表示によって示すことができ、回路の運用設定を容易に行うことができる。すなわち、上記利得可変型高周波増幅装置の取付調整作業において、入力信号レベルに応じて迂回路を選択する際に、２色ＬＥＤ１０１の表示状態から現在の増幅装置の設定状況を容易に且つ間違いなく把握することが可能となり、迂回路の選択作業時間を大幅に短縮することができる。
【００８６】
なお、上記実施形態では、上り回路部２０に第１の上り増幅器２５ａを迂回する第１のスライドスイッチ２６を設けると共に２段の増幅器２５ａ、２５ｂを迂回する第２のスライドスイッチ２７を設け、信号入力レベルが所定値を超えたときに第１のスライドスイッチ２６あるいは第２のスライドスイッチ２７により増幅器を迂回してＣ／Ｎを向上する場合について示したが、下り回路部１０においても上り回路部２０と同様にして実施することが可能であり、Ｃ／Ｎを向上することができる。
【００８７】
また、本発明は、上記実施形態そのままに限定されるものではなく、実施段階ではその要旨を逸脱しない範囲で構成要素を変形して具体化できるものである。
【符号の説明】
【００８８】
１０…下り回路部、１１…下り入力／上り出力端子、１２…下り出力／上り入力端子、１３…ハイパスフィルタ、１４…入力側利得調整器、１５、１６…下り増幅器、１７…出力側利得調整器、１８…ハイパスフィルタ、２０…上り回路部、２１…ローパスフィルタ、２２…入力側利得調整器、２３…電子式スイッチ、２４…ハイパスフィルタ、２５ａ…第１の上り増幅器、２５ｂ…第２の上り増幅器、２６…第１のスライドスイッチ、２６ａ…第１のスイッチ部、２６ｂ…第２のスイッチ部、２７…第２のスライドスイッチ、２７ａ…第１のスイッチ部、２７ｂ…第２のスイッチ部、２８ａ〜２８ｃ…終端抵抗、２９…出力側利得調整器、３０…ローパスフィルタ、４０…上り信号増幅部、５０…電源部、５１…プラグ、５２…電源コード、５３…電源回路、５４…電源ライン、６１、６２、６７、７７、７８…抵抗、６３〜６６…コンデンサ、６８、６９、７１、７９、８１、８２…インダクタンス、７２…レギュレータ、７３…レギュレータのコントロール端子、７４、７６…ダイオード、７５…インバータ、９０…迂回用線路、９１…高周波ライン、９２…高周波ライン、１００…ＬＥＤ点灯回路、１０１…２色ＬＥＤ、１０２…赤色ＬＥＤ、１０３…緑色ＬＥＤ、１１１〜１１９…抵抗、１２０〜１２３…トランジスタ、１２４、１２５…ダイオード。
【図１】
2014033311.tif 000003
【図２】
2014033311.tif 000004
【図３】
2014033311.tif 000005
【図４】
2014033311.tif 000006
【図５】
2014033311.tif 000007
【図６】
2014033311.tif 000008